(57)【要約】      （修正有）【課題】マイヤー毛布としての長所を活かし乍ら、これを羽毛布団に用いても、羽毛布団或いはマイヤー毛布が不測にベッドからズレ落ちてしまうことと、より一層確実に防止しできるようにすること。【解決手段】マイヤー毛布１の少なくともパイル面側１Ａが起毛処理及びポリッシュ仕上げされて表側に構成された羽毛布団用のマイヤー毛布であって、反対の裏面側１Ｂの略全面に、滑り抵抗の大きなガーゼ布２Ａ・２Ｂを２層にして、少なくともその周囲において、前記マイヤー毛布１に逢着してある。【選択図】図４
0003102630.tif 000002
【実用新案登録請求の範囲】
【請求項１】
マイヤー毛布１の少なくともパイル面側１Ａが起毛処理及びポリッシュ仕上げされて表側に構成された羽毛布団用のマイヤー毛布であって、
反対の裏面側１Ｂの略全面に、滑り抵抗の大きなガーゼ布２Ａ・２Ｂを２層にして、少なくともその周囲において、前記マイヤー毛布１に逢着してある、
羽毛布団用のマイヤー毛布。
【請求項２】
前記ガーゼ布２Ａ・２Ｂのうち、少なくともマイヤー毛布１側に位置するガーゼ布２Ｂに、抗菌剤が混入された顔料又は染料によるプリント５がなされてある、請求項１の羽毛布団用のマイヤー毛布。
【請求項３】
前記ガーゼ布２Ａ・２Ｂが，インチ当たり５０本乃至２００本の糸による粗さに織られたものである、請求項１又は請求項２の羽毛布団用のマイヤー毛布。
【考案の詳細な説明】
【技術分野】
【０００１】  本考案は、マイヤー毛布、特に、羽毛布団と併用するのに好適なマイヤー毛布に関する。
【技術背景】
【０００２】  アクリル繊維等で織られたマイヤー毛布は、柄物、無地に関わらず、表裏共に起毛処理され、ポリッシュ仕上げされていて、その毛羽による柔らかな肌触りと高級感があることで、特に最近人気が出ている。この種の毛布は、通常、毛布を身体側に位置させ、布団をその上に載せる重ね敷きという状態で併用されるものである。そして、その布団として、羽毛布団も用いられる。
【特許文献】特開２００２−１２９４５２及び特開２００２−０６９８０８には、夫々マイヤー毛布の特性を改善する考えが提案されている。
【考案の開示】
【考案が解決しようとする課題】
【０００３】  本考案が解決しようとする課題は、上記マイヤー毛布を布団、特に軽い羽毛布団と併用するときに生じる滑りを解消することにある。
即ち、両面起毛処理及びポリッシュ加工されたマイヤー毛布は、その毛羽の表面が滑り易く、特に、通常毛布の長手方向に方向性を持った滑りを生じる。【０００４】  従来例を示す図６のように、畳、或いはベッドにおいて、に示すように、このマイヤー毛布１の上に軽い羽毛布団３を掛けると（逆に身体側に羽毛布団を掛けて、その上にマイヤー毛布を掛ける場合もある）、寝返り等で毛布１或いは羽毛布団３が動かされると、マイヤー毛布１の表面の滑り作用によって、両者の間に相対滑りが起きて、羽毛布団３がベッドから落ちてしまうという問題がある（床の間では位置ズレする）。【０００５】  この問題を解決するべく、本考案者は、先行して、次の特許出願を成している。即ち、マイヤー毛布１の少なくともパイル面側１Ａが起毛処理及びポリッシュ仕上げされて表側に構成され、反対の裏面側１Ｂに滑り抵抗の大きな布２を逢着してあるという手段を講じたものである。この実施に際しては、滑り抵抗の大きさ、コスト、美観に照らしてみて最も好ましい布として、ガーゼ布を用いたのであるが、しかし、現実には滑り抵抗が少し足りず、滑り落ち阻止の作用の向上が求められた。
また、マイヤー毛布とガーゼ布を逢着することで層を形成することになり、衛生上の問題も考慮しなければならない。
【課題を解決するための手段】
【０００６】  本考案にかかる羽毛布団用のマイヤー毛布は、上記課題を解決するために、マイヤー毛布１の少なくともパイル面側１Ａが起毛処理及びポリッシュ仕上げされて表側に構成された羽毛布団用のマイヤー毛布であって、反対の裏面側１Ｂの略全面に、滑り抵抗の大きなガーゼ布２Ａ・２Ｂを２層にして、少なくともその周囲において、前記マイヤー毛布１に逢着してある、という手段を講じたのである。
【考案の効果】
【０００７】  本考案によれば、マイヤー毛布としての長所を活かし乍ら、これを羽毛布団に用いても、両者の間の滑りを未然に回避出来て、寝返りを打っても羽毛布団或いはマイヤー毛布がベッドからズレ落ちてしまうことがなく（床の間では位置ズレして外れることがない）、常に重ね掛け状態を良好に維持出来て、優れた保温状態を得ることが出来るという基本的な効果を奏すると共に、更に次ぎの利点がある。【０００８】  即ち、ガーゼ布を２層２Ａ・２Ｂにするとにより、そのガーゼ布２Ａ・２Ｂ間においても滑り抵抗が生じ、羽毛布団３が上側のガーゼ布２Ａを滑るように移動しようとすると、先ず、その上側のガーゼ布２Ａの抵抗に合い、この際、ガーゼ布２Ａが抵抗を受けて移動しようとしても、この下側のガーゼ布２Ｂが大きな抵抗を発揮して滑りを抑え、持ってマイヤー毛布１のパイル面側１Ａに対する全体としての滑り抵抗が増すのである。【０００９】  更に、マイヤー毛布１のパイル面側１Ａから見ると、このパイルがガーゼ布２Ａの粗目を通過することがあっても、次ぎのガーゼ布２Ｂが存在することで、直接に羽毛布団３に触れる事態をより確実に避けることができて、なお一層の滑り防止効果が得られるのである。【００１０】  また、ガーゼ布２Ａ・２Ｂを２層することで、少なくともその一方に、抗菌剤を混入した顔料又は染料によるプリントが可能であり、このように構成した場合には、ガーゼ布２Ａ・２Ｂ及びマイヤー毛布１との層間に対する抗菌作用を付与することができて衛生的となる。
【考案を実施するための最良の形態】
【００１１】  本考案の実施に際しては、前記ガーゼ布２（２Ａ・２Ｂ）のうち、少なくともマイヤー毛布１側に位置するガーゼ布２Ｂに、抗菌剤が混入された顔料又は染料によるプリント５がなされてあるのが好ましい。
前記抗菌剤としては、実施例で使用している抗菌作用のある香辛料のほか、一般周知の抗菌、殺菌作用のある薬剤は勿論のこと、木炭、竹炭、椰子殻等の活性炭等で、抗菌、防カビ、防虫（忌避効果）、消臭効果のある周知の材料を使用してよいものである。【００１２】  そして、前記ガーゼ布２Ａ・２Ｂが，インチ当たり５０本乃至２００本の糸による粗さに織られたものであるのが好ましいが、インチ当たり糸が１９０本前後のものが最も好ましい。
また、前記滑り抵抗の大きな布としてガーゼ布を用いているが、これと均等性を有する布形態として、例えば、コンパス、シーティング、サイフ、ブロード、ニット地が挙げられる。また、ガーゼ布は通常綿であるが、化繊との混紡でもよい。
【実施例】
【００１３】  以下、本考案にかかる羽毛布団用のマイヤー毛布の好適実施例を、図１乃至図５に基づいて説明する。
ここに用いるマイヤー毛布１は、アクリル繊維を主体としたもので、絵柄がプリントされており、表裏両面、即ち、パイル面側１Ａ及び裏面側共に起毛処理及びポリッシュ仕上げされ、一般に製造されているアクリル繊維主体のマイヤー毛布と同じ構成のものである。【００１４】  そして、毛羽の長く、肌触りの良いパイル面側１Ａとは反対の裏面側１Ｂの全面に滑り抵抗の大きな布として、ガーゼ布２を、その周辺で、マイヤー毛布１にミシン逢着してある。この際、前記ガーゼ布２（２Ａ・２Ｂ）は、図１に示す如く、マイヤー毛布１の頭部側端部の折り返し部（首、顔が位置する）には位置しない程度に短く構成されている。このガーゼ布２（２Ａ・２Ｂ）は、その周辺でマイヤー毛布１に逢着されているのが好ましいが、適所において、図４に、４で示す如く係止糸でもって、部分的に係止するようにしてもよい。【００１５】  図４及び図５に示す如く、本考案にあっては、前記ガーゼ布２が、２層に構成されている。即ち、前記ガーゼ布２（２Ａ・２Ｂ）のうち、マイヤー毛布１側に位置するガーゼ布２Ｂの一面、即ち、他方のガーゼ布２Ａに面した側に、抗菌剤が混入された顔料による絵柄のプリント５がなされている。この抗菌剤としては、抗菌作用の認められる香辛料である公知のペッパー（ファインペパー：商品名乃至商標名）を用いている。【００１６】  このガーゼ布２Ｂの側に抗菌剤をプリント５することで、抗菌剤は他方のガーゼ布２Ａとの間に内包されることになって、顔料プリント５が羽毛布団３に擦れて、或いはこのマイヤー毛布１を人体に直接被せる使用形態の場合には人体に擦れて、磨耗し、或いは人体に触れることを未然に回避出来る。【００１７】  使用に際しては、図２に示す如く、滑り抵抗の大きなガーゼ布２が上側に位置された状態で身体側にマイヤー毛布１を掛け、その上に羽毛布団３を掛けて用いる。これによって、図５に示すごとく、滑り抵抗の大きなガーゼ布２と、羽毛布団３の生地（通常、ブロード）との摩擦抵抗によって、両者の間が非常に滑り難くなり、就寝中の寝返り等で両者の間に滑りを生じて羽毛布団３がベッドからズリ落ちてしまうということがない。【００１８】  特に、ガーゼ布を２層２Ａ・２Ｂにするとにより、そのガーゼ布２Ａ・２Ｂ間においても滑り抵抗が生じ、羽毛布団３が上側のガーゼ布２Ａを滑るように移動しようとすると、先ず、その上側のガーゼ布２Ａの抵抗に合い、この際、ガーゼ布２Ａが抵抗を受けて移動しようとしても、この下側のガーゼ布２Ｂが大きな抵抗を発揮して滑りを抑え、マイヤー毛布１のパイル面側１Ａに対する全体としての滑り抵抗が増すのである。【００１９】  また、図３に示す如く、逆に、身体側に羽毛布団３を掛け、その上に、ガーゼ布２が下側に位置された状態でマイヤー毛布１を掛けて用いる場合がある。この場合も、やはりガーゼ布２（２Ａ・２Ｂ）と、羽毛布団３の生地（通常、ブロード）との摩擦抵抗によって、上述した作用によって、両者の間が非常に滑り難くなり、従って、就寝中の寝返り等で両者の間に滑りを生じてマイヤー毛布１（羽毛布団３の場合もある）がベッドからズリ落ちてしまうということがない。
【産業上の利用可能性】
【００２０】  本考案のマイヤー毛布は、上記の如く羽毛布団に好適であるが、これを単独として用いても、その滑り抵抗の大きなガーゼ布の心地よい肌触りを活かすことが出来て、本来の毛羽布団との併用による肌触りとを選択的に利用でき、通常のマイヤー毛布に新たな使用価値を付与したものとして利用できる。
【図面の簡単な説明】
【００２１】
【図１】実施例のマイヤー毛布の全体の斜視図である。
【図２】実施例のマイヤー毛布の一使用状態を示す側面図である。
【図３】実施例のマイヤー毛布の一使用状態を示す側面図である。
【図４】実施例のマイヤー毛布の一使用状態を示す要部の拡大縦断側面図である。
【図５】実施例のマイヤー毛布の要部の一部切り欠き斜視図である。
【図６】従来技術を示すマイヤー毛布の一使用状態を示す要部の拡大縦断側面図である。
【符号の説明】
【００２２】１：マイヤー毛布
１Ａ：パイル面側
１Ｂ：裏面側
２：ガーゼ布
２Ａ：ガーゼ布（外側）
２Ｂ：ガーゼ布（内側・プリント地）
３：羽毛布団
５：プリント
【図１】
0003102630.tif 000003
【図２】
0003102630.tif 000004
【図３】
0003102630.tif 000005
【図４】
0003102630.tif 000006
【図５】
0003102630.tif 000007
【図６】
0003102630.tif 000008